(57)【特許請求の範囲】
【請求項１】
左右両側の縦桟の間に左右が非対称な模様を設けるとともに上記縦桟の背面側に連結用のタップ穴を形成した鋳物フェンスであって、複数の鋳物フェンスを連結する際に、複数の連結用金具によって連結されるべき２本の縦桟を抱持して上記タップ穴を覆い、上記複数の金具の重合部分をネジ止めしたことを特徴とする鋳物フェンス。
【請求項２】
上記複数の連結用金具の側部からネジを挿通してその先端を上記縦桟の側面に押圧して固定したことを特徴とする、請求項１に記載の鋳物フェンス。
【請求項３】
上記複数の連結用金具の側部からネジを挿通して上記タップ穴に螺合させたことを特徴とする、請求項１に記載の鋳物フェンス。
【請求項４】
上記複数の連結用金具のうち、正面または背面に対応する連結用金具に適宜の意匠を施したことを特徴とする、請求項１に記載の鋳物フェンス。
【請求項５】
上記意匠は、上記連結用金具とは別体の装飾体に形成され、この装飾体が上記正面または背面に対応する連結用金具に固定されたことを特徴とする、請求項４に記載の鋳物フェンス。
【発明の詳細な説明】
【技術分野】
【０００１】
本発明は、主に左右が非対称な模様を正背両側に形成した鋳物フェンスに関する。
【背景技術】
【０００２】
一般に、鋳物フェンスには、つるや草花を模した立体模様、幾何的模学的模様、アニメキャラクターを模した模様などいろいろな模様が施されているものが多い。そして、通常の場合、正面側（道路に面する側）の模様は立体的に表されているが、背面側の模様は扁平に処理されているものが多いが、敷地の内側からも模様を楽しむことができるように、最近では正面側と背面側の模様をいずれも立体的にしたものも市場に出回っている。
【０００３】
これにより、例えば左右が非対称な模様を備えた鋳物フェンスでも、それを連結する構成では、同じ模様が連続して単純で面白みに欠けるため、それぞれの正面と背面とを互い違いにして連結するような施工も可能となり、鋳物フェンスの構成に変化をつけることができるようになる。このような連結が可能な鋳物フェンスも知られている。
【特許文献１】特開２００４−２８５７６８号公報
【発明の開示】
【発明が解決しようとする課題】
【０００４】
しかしながら、正背に模様が施されていても、複数の鋳物フェンスを連結する場合、特に鋳物フェンス間に立設した支柱を介して連結する間柱式ではなく、鋳物フェンスを直接に連結し、鋳物フェンスの下部の自由な位置に設けた支柱に支持させる自在柱式のフェンスである場合は、鋳物フェンス同士を連結するための連結金具は、外観を損なわないように鋳物フェンスの背面側に配置される。このため、鋳物フェンスの両側の縦桟の背面側には連結用のタップ穴が加工形成され、このタップ穴を利用して上記連結金具をネジ止めしていた。上記タップ穴の位置には精度を要求されるので、タップ加工は治具により工場で行なわれていた。
【０００５】
したがって、工場出荷時にはタップ穴の有無によって鋳物フェンスの正面側と背面側の仕様は決まってしまう。このため、施工の現場では鋳物フェンスの構成に上述のように、それぞれの正面と背面とを交互にして連結すると、背面が正面側を向いたときにタップ穴が正面側に露出するので外観が損なわれ、また、正面が背面側になるとタップ穴が背面側にないので、連結することができないという問題がある。
【０００６】
本発明は上記問題点を解消し、特に左右が非対称な模様を正背両側に形成した複数の鋳物フェンスを、正面と背面とを互い違いにしても連結することができ、しかもタップ穴が露出することがない鋳物フェンスの連結構造を提供することをその課題とする。
【課題を解決するための手段】
【０００７】
前記課題を解決するため、本発明に係る鋳物フェンスは、左右両側の縦桟の間に左右が非対称な模様を設けるとともに上記縦桟の背面側に連結用のタップ穴を形成した鋳物フェンスであって、複数の鋳物フェンスを連結する際に、複数の連結用金具によって連結されるべき２本の縦桟を抱持して上記タップ穴を覆い、上記複数の金具の重合部分をネジ止めしたことを特徴とする。
【０００８】
請求項２に係る発明は、請求項１において、上記複数の連結用金具の側部からネジを挿通してその先端を上記縦桟の側面に押圧して固定したことを特徴とする。
【０００９】
請求項３に係る発明は、請求項１において、上記複数の連結用金具の側部からネジを挿通して上記タップ穴に螺合させたことを特徴とする。
【００１０】
請求項４に係る発明は、請求項１において、上記複数の連結用金具のうち、正面または背面に対応する連結用金具に適宜の意匠を施したことを特徴とする。
【００１１】
請求項５に係る発明は、請求項４において、上記意匠は、上記連結用金具とは別体の装飾体に形成され、この装飾体が上記正面または背面に対応する連結用金具に固定されたことを特徴とする。
【発明の効果】
【００１２】
請求項１に係る発明によれば、タップ穴の有無によって正面側の仕様と背面側の仕様とが異なっている鋳物フェンスであっても、隣り合う鋳物フェンスのそれぞれの正面と背面とを互い違いにして連結用金具により連結する施工も可能となるから、鋳物フェンスの構成が同じ模様の繰り返しでなく、動物の模様の向きを変えるなどの変化をつけることができる。
【００１３】
また、タップ穴は連結金具によって覆われるから、外部に露出することがなく、鋳物フェンスの外観が損なわれることがない。また、上記連結用金具によって２つの鋳物フェンスを正面同士、背面同士を連結することができ、この場合もタップ穴を塞ぐことができる。
【００１４】
請求項２に係る発明によれば、連結用金具の側部からネジを挿通してその先端を上記縦桟の側面に押圧固定したので、鋳物フェンスを強固に連結することができる。
【００１５】
請求項３に係る発明によれば、連結用金具の側部からネジを挿通して上記タップ穴に螺合させて固定することができるので、鋳物フェンスを強固に連結することができる。
【００１６】
請求項４に係る発明によれば、正面または背面に正面金具には適宜の意匠が施されているから、鋳物フェンスの全体の模様となじみ、不自然な印象を与えない。
【００１７】
請求項５に係る発明によれば、まわりのデザインに合わせて意匠を選択することができる。
【発明を実施するための最良の形態】
【００１８】
図１は２枚の鋳物フェンスを裏正面を互い違いにして連結した状態の正面図、図２は図１の一部を省略した平面図、図３は図１のＸ−Ｘ線上の拡大断面図、図４は図１のＹ−Ｙ線上の拡大断面図であり、図５は上記鋳物フェンスの連結部の分解斜視図である。
【００１９】
上図において符号ａは鋳物フェンスを示す。この鋳物フェンスａは上下桟１、２と左右両側の縦桟３とからなる枠体の内側に横格子４と複数の縦格子５とを配置し、これらの格子４、５の一部に捩り部６や装飾部７を施し、さらに蝶や草花や動物の模様８、９、１０等を施したものである。上桟１自体も２つのＳ字状部を連続した模様を備えている。そして、これらの模様は正面も背面も立体的に形成され、また全体として左右が非対称になっている。
【００２０】
また、下桟２の正背両側にはその長手方向に沿って取付溝１２が形成されている。
【００２１】
上記鋳物フェンスａは支柱１１によって地上に支持されている。すなわち、支柱１１は主に図４に示されるように、支柱本体１１ａと挟持部材１１ｂとからなり、この挟持部材１１ｂと支柱本体１１ａの上部とにより下桟２の正背両側の取付溝１２に係合させた状態で下桟２を正背両側から強く挟んで締め付け固定し、支柱本体１１ａを地中に埋設することにより鋳物フェンスａを支持している。
【００２２】
このように、上記鋳物フェンスａは上記下桟２の取付溝１２の範囲で自由に配置できる自在柱式のフェンスである。このため、鋳物フェンスａの両側の縦桟３の背面側の上下部には連結用のタップ穴１４が形成され、正面側の仕様と背面側の仕様とが異なっている。
【００２３】
上記構成によれば、複数の鋳物フェンスａを正面を揃えて連結するのが基本である。この場合、図示しないが、隣り合う鋳物フェンスａの両側の縦桟３同士を突き合わせ、連結金具をそれぞれの縦桟３のタップ穴１４にネジ止めすることにより連結すればよい。
【００２４】
ところで、上記鋳物フェンスａは図１のように正面と背面とを互い違いにして連結することもできる。図１に向かって左側の鋳物フェンスａは正面が正面側に表われ、右側の鋳物フェンスａは、その背面が正面側に表われるように裏返し面になっている。この場合は、上記２つの鋳物フェンスａは連結用金具（正面金具１５ａと背面金具１５ｂ）とから構成される連結金具１５によって連結することができる。
【００２５】
すなわち、正面金具１５ａは正面片１６とその両端の側片１７とからコ字形に形成されている。正面片１６には花を模した模様１８が施されている。これに対し、背面金具１５ｂは背面片２０とその両端の側片２１とからコ字形に形成されている。なお、背面金具１５ｂの両側片２１間の寸法は鋳物フェンスａの縦桟３の幅の約２倍に設定され、また正面金具１５ａの両側片１７間の寸法は背面金具１５ｂの長さとほぼ同じに形成されている。また、正面金具１５ａの両側片１７と背面金具１５ｂの両側片２１にはネジ穴２２が形成されている。
【００２６】
そして、上記連結金具１５を介して２枚の鋳物フェンスａの正面と背面とを互い違いにして連結するときは、正面金具１５ａと背面金具１５ｂとを連結されるべき鋳物フェンスａの隣り合う２本の縦桟３に正背から抱持する。連結金具１５を取り付ける位置は、タップ穴１４が形成されている位置である。このとき、背面金具１５ｂの両側片の間には上記２本の縦桟３が挟まれ、また、正面金具１５ａの両側片１７間には背面金具１５ｂの両側片２１が重合する。そして、正面金具１５ａのネジ穴２２から背面金具１５ｂのネジ穴２２に固定ネジ２３を螺合させて一体に結合すればよい。なお、固定ネジ２３は、連結を強固にするため、その先端を上記縦桟３の側面に押圧して固定するのが好ましい。
【００２７】
上記連結構成によれば、タップ穴１４の有無によって正面側の仕様と背面側の仕様とが異なっている鋳物フェンスａであっても、隣り合う鋳物フェンスａのそれぞれの正面と背面とを互い違いにして連結する施工が可能となるから、鋳物フェンスａの構成が同じ模様の繰り返しでなく、動物の模様１０の向きを変えるなどの変化をつけることができる。
【００２８】
また、タップ穴１４は連結金具１５によって覆われるから、外部に露出することがなく、鋳物フェンスａの外観が損なわれることがない。
【００２９】
さらに、連結金具１５は簡単な構成であり、正面金具１５ａの正面片１６には花模様１８が施されているから、鋳物フェンスａの全体の模様となじみ、不自然な印象を与えない。
【００３０】
なお、図１に向かって右端の鋳物フェンスのように、端部の鋳物フェンスを裏返し仕様とした場合には、タップ穴が正面側に露出する可能性があるが、端部は目立たないので放置してもよく、また飾りネジなどで処理してもよい。また、上記連結金具１５によって２つの鋳物フェンスを正面同士、背面同士を連結することができ、この場合もタップ穴１４を塞ぐことができる。
【００３１】
また、連結用金具は２個以上であってもよい。また、２本の縦桟３を抱持するように構成されているものであれば、３個以上であってもよく、コ字形に屈曲している構造に限定されない。
【００３２】
また、図６は連結用金具部分の他の実施形態の断面図である。同図のように、連結用金具１５ａ、１５ｂの側部からネジ２５を挿通して上記タップ穴１４に螺合させて固定してもよい。これにより、強固な連結状態が得られる。また、模様１８は連結用金具とは別体の装飾体２４に形成し、これをネジ２６によって連結用金具に固定してもよい。この装飾体２４は正背両面に設けてもよい。これにより、まわりのデザインに適合する意匠を選択し、後付けすることができる。
【図面の簡単な説明】
【００３３】
【図１】２枚の鋳物フェンスを裏正面を互い違いにして連結した状態の正面図である。
【図２】図１の一部を省略した平面図である。
【図３】図１のＸ−Ｘ線上の拡大断面図である。
【図４】図１のＹ−Ｙ線上の拡大断面図である。
【図５】上記鋳物フェンスの連結部の分解斜視図である。
【図６】連結用金具部分の他の実施形態の断面図である。
【符号の説明】
【００３４】
ａ  鋳物フェンス
３  縦桟
１４  タップ穴
１５  連結金具
１５ａ  正面金具
１５ｂ  背面金具
【図１】
0004664829.tif 000002
【図２】
0004664829.tif 000003
【図３】
0004664829.tif 000004
【図４】
0004664829.tif 000005
【図５】
0004664829.tif 000006
【図６】
0004664829.tif 000007